(57)【要約】【課題】  部品点数の増加を抑制することができ、作業性悪化の防止を図ることができる洗濯挟みを提供する。【解決手段】  揺動支点１０を挟んで一方側に挟持部１１が、他方側に把持部１２が設けられ、挟持部１１をバネ力により閉じる方向に押圧力を付与する洗濯挟みであって、Ｃ形の両端部３ａに端よりも少し中央寄り部分を相手側端部寄りになるように曲折した溝当接部３ｂを有するバネ３と、揺動支点１０、挟持部１１及び把持部１２がそれぞれ形成された一対の揺動片１を有し、各揺動片１の外側に、バネ３の溝当接部３ｂが当接するとともに、その当接位置を、挟持部１１の開閉状況に応じて揺動支点１０よりも挟持部１１寄りの第１位置Ａと揺動支点１０よりも把持部１２寄りの第２位置Ｂとにわたって移動可能に案内する案内溝１３が設けられた洗濯挟み本体２とを具備する。【選択図】      図１
2006192076.tif 000002
【特許請求の範囲】
【請求項１】
揺動支点を挟んで一方側に挟持部が、他方側に把持部が設けられ、該挟持部をバネ力により閉じる方向に押圧力を付与し得る洗濯挟みであって、
概略Ｃ形に形成され、かつ両端部に、端よりも少し中央寄り部分を相手側端部寄りとなるように曲折した溝当接部を有するバネと、
上記揺動支点、挟持部及び把持部がそれぞれ形成された一対の揺動片を有し、各揺動片の外側に、上記バネの溝当接部が当接するとともに、その当接位置を、挟持部の開閉状況に応じて揺動支点よりも挟持部寄りの第１位置と揺動支点よりも把持部寄りの第２位置とにわたって移動可能に案内する案内溝が設けられた洗濯挟み本体と
を具備することを特徴とする洗濯挟み。
【請求項２】
請求項１に記載の洗濯挟みにおいて、前記洗濯挟み本体の両揺動片における案内溝は、両溝底が平坦で、かつ、両溝底間の距離が、挟持部を開けた状態では第１位置側を第２位置側よりも大となるよう、挟持部を閉じた状態では第１位置側を第２位置側よりも小となるように形成されていることを特徴とする洗濯挟み。
【請求項３】
請求項１又は２に記載の洗濯挟みにおいて、前記洗濯挟み本体がプラスチック製で、前記バネが金属製であることを特徴とする洗濯挟み。
【発明の詳細な説明】
【技術分野】
【０００１】
本発明は、洗濯物を干すときに用いる洗濯挟みに関する。
【背景技術】
【０００２】
上述した洗濯挟みとして、従来、洗濯物を挟む挟持部を開いたままに保持する機能を備えたものが知られている（例えば特許文献１参照）。
【０００３】
その洗濯挟みは、図６及び図７に示すように、先端側の挟持部１０１と基端側の把持部１０２との間に設けた揺動支点１０３を介して揺動可能な一対の本体１００と、Ｃ形のバネ１１０とを有し、両本体１００には、それらの外面に先・基端方向に滑動する滑動片１１１を案内するガイド溝１１２が形成され、Ｃ形バネ１１０の両端が前記滑動片１１１に係止された構成となっている。そして、図７に示すように把持部１０２を押して挟持部１０１を開くと、滑動片１１１が把持部１０２側へ滑動して、バネ１１０の滑動片１１１との係止点が揺動支点１０３よりも把持部１０２側へ移動し、挟持部１０１が開いたままに保持され、その状態で挟持部１０１を押すと、図６に示すように滑動片１１１が挟持部１０１側へ滑動して、バネ１１０の滑動片１１１との係止点が揺動支点１０３よりも挟持部１０１側へ移動し、挟持部１０１が閉じることになる。このように挟持部１０１を開いたままの状態に保持することができるため、片手で持った洗濯物をその開いたままの挟持部１０１間にセットし挟持部１０１を押して閉じると、洗濯物を挟持部１０１で挟むことができ、片手操作が可能になる。
【特許文献１】特開２００２−２１０２９１号公報
【発明の開示】
【発明が解決しようとする課題】
【０００４】
しかしながら、上述した洗濯挟みによる場合には、滑動片を必須とするため部品点数が増加するとともに、滑動片へのＣ形バネの取付け作業の他に、滑動片の本体への取付け作業を必要とするために作業性が悪化するという難点があった。
【０００５】
本発明は、このような従来技術の課題を解決するためになされたもので、部品点数の増加を抑制することができ、作業性悪化の防止を図ることができる洗濯挟みを提供することを目的とする。
【課題を解決するための手段】
【０００６】
請求項１の発明の洗濯挟みは、揺動支点を挟んで一方側に挟持部が、他方側に把持部が設けられ、該挟持部をバネ力により閉じる方向に押圧力を付与し得る洗濯挟みであって、概略Ｃ形に形成され、かつ両端部に、端よりも少し中央寄り部分を相手側端部寄りとなるように曲折した溝当接部を有するバネと、上記揺動支点、挟持部及び把持部がそれぞれ形成された一対の揺動片を有し、各揺動片の外側に、上記バネの溝当接部が当接するとともに、その当接位置を、挟持部の開閉状況に応じて揺動支点よりも挟持部寄りの第１位置と揺動支点よりも把持部寄りの第２位置とにわたって移動可能に案内する案内溝が設けられた洗濯挟み本体とを具備することを特徴とする。
【０００７】
請求項２の発明の洗濯挟みは、請求項１に記載の洗濯挟みにおいて、前記洗濯挟み本体の両揺動片における案内溝は、両溝底が平坦で、かつ、両溝底間の距離が、挟持部を開けた状態では第１位置側を第２位置側よりも大となるよう、挟持部を閉じた状態では第１位置側を第２位置側よりも小となるように形成されていることを特徴とする。
【０００８】
請求項３の発明の洗濯挟みは、請求項１又は２に記載の洗濯挟みにおいて、前記洗濯挟み本体がプラスチック製で、前記バネが金属製であることを特徴とする。
【発明の効果】
【０００９】
請求項１及び３の発明による場合には、洗濯挟み本体の両揺動片の把持部を押すと、挟持部が開くように両揺動片が傾いて、バネの溝当接部の案内溝に当接する位置が第１位置から第２位置へと移動し、挟持部がバネ力により開いたままになる。その状態で、両揺動片の挟持部を押して閉じると、挟持部が閉じるように両揺動片が傾いて、バネの溝当接部の案内溝に当接する位置が第２位置から第１位置へと移動し、両挟持部はその間にバネ力による押圧力が作用して閉じた状態を保持する。よって、特許文献１における滑動片を用いることなく、挟持部を開いたままの状態に保持することができるので、滑動片を不要にすることが可能となり、部品点数の増加を抑制することができるとともに作業性悪化の防止を図ることができる。
【００１０】
上記両揺動片における案内溝を、請求項２の発明のように両溝底が平坦で、かつ、両溝底間の距離が挟持部の開閉状況に応じて変化する構成とすることで、第１位置と第２位置との間におけるバネの溝当接部の移動をスムーズに行わせ得る。
【発明を実施するための最良の形態】
【００１１】
以下に、本発明の実施形態を具体的に説明する。
【００１２】
図１及び図２は洗濯挟みを示す正面図で、図１は洗濯挟みの挟持部を閉じた状態を示し、図２は洗濯挟みの挟持部を開いた状態を示す。
【００１３】
この洗濯挟みは、一対の揺動片１を有する洗濯挟み本体２と、概略Ｃ形をしたバネ３とを有し、各揺動片１は、揺動支点１０を挟んで一方側に挟持部１１が、他方側に把持部１２が設けられている。なお、バネ３の形状としての概略Ｃ形には、これに類するコの字状のものも含まれる。
【００１４】
バネ３は、Ｃ形の両端部３ａが、端よりも少し中央寄り部分を相手側端部寄りになる形状、例えば円弧状に曲折された金属製（例えば鋼製）のものであり、各端部３ａの相手側と最接近する部分が溝当接部３ｂとして機能するようになっている。
【００１５】
揺動片１は、例えばプラスチック製のもので、揺動片１の外面には、案内溝１３が設けられ、各案内溝１３には円弧状の端部３ａがそれぞれ挿入されている。案内溝１３は、揺動片１の長手方向に沿って長く、かつ、その一端側が揺動支点１０よりも挟持部１１寄りの第１位置Ａに位置し、他端側が揺動支点１０よりも把持部１２寄りの第２位置Ｂに位置するように形成されている。また、案内溝１３の溝底１３ａは平滑に形成されている。
【００１６】
上記揺動支点１０は、図３に示すように、それぞれ先端側が円弧状となった一対の突起１０ａと、一対の円弧穴１０ｂとを有し、揺動片１側の円弧穴１０ｂには、相手側の揺動片１側の突起１０ａが入り、揺動片１側の突起１０ａが相手側の揺動片１の円弧穴１０ｂに入っている。よって、両揺動片１は、揺動支点１０を介して係合するとともに、把持部１２と挟持部１１とが逆向きに揺動する。これに伴い、案内溝１３は、両溝底１３ａ間の距離に関し、挟持部１１を開けると第１位置Ａ側が第２位置Ｂ側よりも大になり、挟持部１１を閉じると第１位置Ａ側が第２位置Ｂ側よりも小になる。
【００１７】
次に、このように構成された洗濯挟みの動作内容につき説明する。
【００１８】
この洗濯挟みは、把持部１２を押すと、挟持部１１を開いた状態に保持することができる。即ち、把持部１２を押すと、挟持部１１が開いた状態に両揺動片１が傾き、両溝底１３ａ間の距離は、第１位置Ａ側が第２位置Ｂ側よりも大になり、バネ３における両端部３ａの溝当接部３ｂが第１位置Ａ側から第２位置Ｂまで移動する。この第２位置Ｂは、揺動支点１０よりも把持部１２側に位置するので、挟持部１１が開いたままの状態を保持する。
【００１９】
その後、開いた挟持部１１間に洗濯物を入れた後、挟持部１１を押して閉じると、挟持部１１が閉じた状態に両揺動片１が傾き、両溝底１３ａ間の距離は、第１位置Ａ側が第２位置Ｂ側よりも小になり、バネ３における両端部３ａの溝当接部３ｂが第２位置Ｂから第１位置Ａまで移動する。この第１位置Ａは、揺動支点１０よりも挟持部１１側に位置するので、挟持部１１が閉じた状態を保持する。
【００２０】
したがって、本実施形態による場合には、特許文献１における滑動片（１１１）を用いることなく、挟持部１１を開いたままの状態に保持することができるので、滑動片を不要にすることが可能となり、部品点数の増加を抑制することができるとともに作業性悪化の防止を図ることができる。
【００２１】
なお、上述した実施形態ではバネの両端部を円弧状に曲折した例を示したが、本発明はこれに限らない。例えば、図４に示すように、バネ３の両端部３ａに、挟持部１１を開けたときの溝底１３ａに対して平行な線接触になる溝当接部（以下では、平行溝当接部と言う）３ｃを有する形状にしてもよい。
【００２２】
このような平行溝当接部３ｃを有する形態とした場合には、挟持部１１が開いた状態となって、バネ３の両端部３ａが第１位置Ａ側から第２位置Ｂまで移動するとき、平行溝当接部３ｃが溝底１３ａに線接触し摩擦抵抗を適度に増大化させ得、移動速度を遅くすることが可能となる。その結果、把持部１２を押して直ぐに離すと、挟持部１１が開いたままの状態にならず、挟持部１１が開いた状態（図４）から直ぐに閉じた状態（図５）とすることも可能になる。また、上記移動速度は平行溝当接部３ｃの長さ寸法Ｌに応じて調整することが可能になる。なお、移動速度の調整は、溝底と、溝底に接触するバネ両端部とのいずれか一方に凹凸等を設けることでも可能であるが、このように構成した場合には引っ掛かりが生じてスムースな移動がなされない虞がある。これに対し、本発明のように平行溝当接部３ｃの長さ調整による場合には、スムースな移動を確保した状態で速度調整が可能であり、好ましい。
【００２３】
また、本発明は、バネの両端部が接触する溝底の傾き状態により前記移動速度の調整を行うようにしてもよい。
【００２４】
更に、上述した実施形態では、両揺動片の揺動支点（１０）が同一構成となっていて、各揺動片に同一のものを使用できるようにしているが、本発明はこれに限らず、揺動支点（１０）の一方が先端側を円弧状にした突起で、他方がその突起を受ける円弧状に窪んだ凹部であってもよい。
【図面の簡単な説明】
【００２５】
【図１】本発明の洗濯挟みを示す正面図で、洗濯挟みの挟持部を閉じた状態を示す。
【図２】本発明の洗濯挟みを示す正面図で、洗濯挟みの挟持部を開いた状態を示す。
【図３】本発明の洗濯挟みの揺動支点を示す斜視図である。
【図４】本発明の洗濯挟みに適用されるバネの形態を示す正面図で、挟持部を開いた状態を示す。
【図５】本発明の洗濯挟みに適用されるバネの形態を示す正面図で、挟持部を閉じた状態を示す。
【図６】特許文献１における洗濯挟みを示す正面図で、挟持部を閉じた状態を示す。
【図７】特許文献１における洗濯挟みを示す正面図で、挟持部を開いた状態を示す。
【符号の説明】
【００２６】
Ａ    第１位置
Ｂ    第２位置
１    揺動片
２    洗濯挟み本体
３    バネ
３ａ    端部
３ｂ    溝当接部
３ｃ    溝当接部（平行溝当接部）
１０    揺動支点
１１    挟持部
１２    把持部
１３    案内溝
１３ａ  溝底
【図１】
2006192076.tif 000003
【図２】
2006192076.tif 000004
【図３】
2006192076.tif 000005
【図４】
2006192076.tif 000006
【図５】
2006192076.tif 000007
【図６】
2006192076.tif 000008
【図７】
2006192076.tif 000009